(57)【特許請求の範囲】
【請求項１】
化粧料収容部を有する容器本体と、この容器本体に対して開閉可能な蓋体とを備え、蓋体の内面には、周縁部に第１気密部と第２気密部を有する弾性材からなるシール部材が設けられ、第１気密部は閉蓋時に前記化粧料収容部の開口部の外周縁に環状平面に形成されたシール座に載置されて上方に撓み、自身の弾性復元力によって当該シール座に気密に圧接され、この第１気密部の基部から分岐して下延する第２気密部は、第１気密部の上方への撓みに伴って外方に広がるように弾性変形し化粧料収容部の内周面に気密に圧接するようになっており、第２気密部の外周面は前記容器本体の化粧料収容部の内周面とほぼ平行をなすように形成されていて、前記第１気密部を上方に撓ませることなく前記シール座に当接させた時には、第２気密部の少なくとも先端が前記化粧料収容部の内周面との間に径方向の隙間を有して既に化粧料収容部内に進入しているように形成されており、前記第１気密部は、外方に向かって斜め下方に延びる環状の鍔部からなることを特徴とする化粧用気密コンパクト容器。
【請求項２】
前記第１気密部と第２気密部の連結部が前記化粧料収容部の内周面よりも内側に配されていることを特徴とする請求項１に記載の化粧用気密コンパクト容器。
【請求項３】
前記第１気密部は径方向外方に進むにしたがって前記シール座に接近するように傾斜姿勢に形成されていることを特徴とする請求項１に記載の化粧用気密コンパクト容器。
【請求項４】
前記第２気密部の下部外周縁の横断面形状が矩形に尖って形成されていることを特徴とする請求項１に記載の化粧用気密コンパクト容器。
【請求項５】
前記蓋体の後端が前記容器本体の後端に回動可能に連結されており、蓋体が上下回動により開閉されることを特徴とする請求項１から４のいずれかに記載の化粧用気密コンパクト容器。
【発明の詳細な説明】
【０００１】
【産業上の利用分野】
本発明は化粧用の気密コンパクト容器に関するものである。
【０００２】
【従来の技術】
化粧料には揮発性成分を含有するものがあり、このような化粧料を収容する化粧用コンパクト容器では、揮発性成分が揮発しないように化粧料収容部を気密に密閉できる構造になっている。
【０００３】
実開平３―３４４１２号公報にはその一例が開示されている。この公報に開示されたものは、蓋体の内面に弾性材からなるシール部材が取り付けられていて、シール部材の下面から突出する環状の鍔部が閉蓋時に容器本体の中皿の開口縁部に圧接されるようになっている。
【０００４】
詳述すると、前記鍔部の外周面は径方向に内側に向かって下り勾配のテーパ面に形成されており、蓋体の閉操作の途中において鍔部のテーパ面が中皿の開口縁部に当接し、この後、蓋体を更に容器本体側に押し付けると、鍔部が弾性的に圧縮変形してその弾性復元力により中皿の開口縁部に強く圧接するようになっている。
【０００５】
【発明が解決しようとする課題】
このように構成された従来の気密コンパクト容器では、鍔部の基部の一部が中皿の開口縁部よりも外側に位置しているため、閉蓋時には鍔部の基部を圧縮するように弾性変形させることとなる。これには比較的大きな力が必要であり、したがって蓋体の締め際の動きがスムーズでないという欠点があり、更に、経時的に鍔部がへたり易いという欠点があった。
【０００６】
本発明はこのような従来の技術の問題点に鑑みてなされたものであり、蓋体の締め際がスムーズで且つ気密性にも優れる化粧用気密コンパクト容器を提供することを目的とする。
【０００７】
【課題を解決するための手段】
本発明は前記課題を解決するために、以下の手段を採用した。
〈本発明の要旨〉
本発明の化粧料気密コンパクト容器は、化粧料収容部を有する容器本体と、この容器本体に対して開閉可能な蓋体とを備え、蓋体の内面には、周縁部に第１気密部と第２気密部を有する弾性材からなるシール部材が設けられている。
【０００８】
第１気密部は閉蓋時に前記化粧料収容部の開口部の外周縁に環状平面に形成されたシール座に載置されて上方に撓み、自身の弾性復元力によって当該シール座に気密に圧接される、外方に向かって斜め下方に延びる環状の鍔部からなる。
【０００９】
第２気密部は第１気密部の基部から分岐し下延しており、この第２気密部は、第１気密部の上方への撓みに伴って外方に広がるように弾性変形し化粧料収容部の内周面に気密に圧接するようになっている。
【００１０】
第２気密部の外周面は前記容器本体の化粧料収容部の内周面とほぼ平行をなすように形成されていて、前記第１気密部を上方に撓ませることなく前記シール座に当接させた時には、第２気密部の少なくとも先端が前記化粧料収容部の内周面との間に径方向の隙間を有して既に化粧料収容部内に進入しているように形成されている（以上、請求項１に対応）。
【００１１】
前記第１気密部と第２気密部の連結部を、前記化粧料収容部の内周面よりも内側に配するのが好ましい（請求項２に対応）。
前記第１気密部は、径方向外方に進むにしたがって前記シール座に接近するように傾斜姿勢に形成することが可能である（請求項３に対応）。このようにすると、第１気密部の上下方向の弾性変形量に対する第２気密部の径方向外側への弾性変形量の比率を大きくすることができ、化粧料収容部内周面への第２気密部の圧接力を大きくすることができる。
【００１２】
前記第２気密部の下部外周縁の横断面形状は矩形に尖った形状にするのが好ましい（請求項４に対応）。このようにすると、第２気密部の下部外周縁をより強く化粧料収容部の内周面に圧接させることができ、気密性が高まる。
【００１３】
前記蓋体の後端を前記容器本体の後端に回動可能に連結し、蓋体を上下回動して開閉することが可能である（請求項５に対応）。
〈本発明の原材料〉
前記シール部材にはゴム（例えば、ブチルゴム）や弾性を有する軟質の樹脂が採用可能であり、好ましくはガスバリア性の高いものがよい。
【００１４】
【作用】
〈本発明の作用〉
第１密接部がシール座に当接し始めた状態から、蓋体を容器本体側に接近移動させると、シール部材の第１気密部が上方へ弾性的に撓み、その結果、第１気密部は自身の弾性復元力によってシール座に強く圧接する。
【００１５】
第１気密部が上方へ撓むと、これに伴ってシール部材の第２気密部が外方に広がるように弾性変形して、化粧料収容部の内周面に強く圧接する。
尚、第１気密部の撓みによって第２気密部の外周面先端部が化粧料収容部の内周面に当接するより前に、第２気密部の先端部は化粧料収容部内を前進する。これは、化粧料収容部の内周面と第２気密部の外周面との間に径方向の隙間があるため、この隙間寸法だけ第２気密部が径方向外側へ変形する間に、第２気密部の下縁が下方に前進するからである。
【００１６】
そして、第２気密部の下縁が化粧料収容部の内面に接触する時には既に化粧料収容部内に進入しているので、化粧料収容部の内周面を摺動しながらの第２気密部の下方移動が非常に軽くスムーズに行われる。
【００１７】
又、この化粧用気密コンパクト容器では、蓋体を全閉にした時に、シール部材の第１気密部と第２気密部により化粧料収容部が二重に気密密閉されるので、気密性が極めて高い。
【００１８】
【実施例】
以下、本発明の一実施例を図１から図４の図面に基いて説明する。
図２は本発明の化粧用気密コンパクト容器（以下、コンパクト容器と略す）１の全閉状態における外観正面図である。
【００１９】
コンパクト容器１は上から見ると円形をなし、容器本体１０の後端と蓋体３０の後端とをピン（図示せず）によって回動可能に連結して構成されており、ピンを回転中心に蓋体３０を容器本体１０に対して上下方向に回動することによって開閉できるようになっている。
【００２０】
図３及び図４はコンパクト容器１の部分拡大断面図であり、図４は蓋体３０を全閉にした状態を示しており、図３は全閉の僅か手前の状態を示している。
容器本体１０は、皿形をなす外枠１１の内側に中枠１２が固定され、中枠１２の内側に中皿１３が嵌着されて構成されている。
【００２１】
中皿１３は、底部１４から周壁部１５が立ち上がり、周壁部１５の上端からフランジ部（シール座）１６が水平方向外側に環状平板状に延びて構成されており、中皿１３の内部が化粧料収容部１９になる。
【００２２】
周壁部１５はその上端部分にほぼ垂直方向直線的に延びる直胴部１７を備え、直胴部１７の上縁とフランジ部１６の内縁とが曲率半径の小さな円弧部１８によって接続されている。
【００２３】
蓋体３０は、蓋本体３１と、蓋本体３１の天板部３２の内面に取り付けられたシール部材４０と、蓋本体３１の外周部に固定された固定リング５０とを備えている。
【００２４】
シール部材４０はブチルゴムで形成されており、弾性を有している。シール部材４０の中央部分は平板部４１になっており、平板部４１の上面外周部には環状溝４２が形成されていて、環状溝４２の外側が環状係止部４３になっている。
【００２５】
又、平板部４１における環状係止部４３の基部（図３及び図４において下側）からは環状の鍔部（第１気密部）４４が外方に向かって斜め下方に延びており、更に、この鍔部４４の基部からは環状壁（第２気密部）４５がほぼ垂直下方に延びている。
【００２６】
鍔部４４の先部には下方に突出する膨出部４６が環状に形成されており、この膨出部４６は閉蓋時に前記中皿１３のフランジ部１６の上に載置されるように配されている。
【００２７】
環状壁４５は横断面形状が略長方形をなし、下部外周縁は矩形に尖っている。環状壁４５の外周面はほぼ垂直方向に沿う姿勢に形成されており、この環状壁４５は閉蓋時に中皿１３の直胴部１７の内側に収まるように配されている。
【００２８】
このシール部材４０は、蓋本体３１の天板部３２に設けた環状突起３３を環状溝４２に嵌合させ、蓋本体３１に接合した固定リング５０の係止部５１を環状係止部４３に係止させることによって、蓋本体３１に固定されている。
【００２９】
尚、鍔部４４と固定リング５０との間には鍔部４３が上方に弾性的に撓むことができるように、所定寸法の空間５２が形成されている。
図３は、蓋体３０を上方から容器本体１０側に降ろしていった時に、シール部材４０の膨出部４６が中皿１３のフランジ部１６に接触し始めた直後の状態を示しており、まだ完全に全閉に至る前の状態である。
【００３０】
このコンパクト容器１では、図３に示す状態において、各部材が次のような位置関係となるように設定されている。尚、図１は図３の要部拡大図である。
即ち、図３に示す状態では、シール部材４０の鍔部４４と環状壁４５との連結部４７が中皿１３の直胴部１７よりも径方向内側に位置している。又、環状壁４５の外周面は直胴部１７の内周面よりも径方向内側に位置しており、環状壁４５の外周面は直胴部１７の内周面に対して径方向に僅かな隙間Ｘを有してほぼ平行に配されている。環状壁４５の先端は直胴部１７と円弧部１８との境界の側方に位置しており、換言すれば、環状壁４５の先端は中皿１３の開口部から化粧料収容部１９内に既に進入している。
【００３１】
この図３の状態から蓋体３０を容器本体１０側に接近させると、蓋体３０の接近移動開始直後にシール部材４０の環状壁４５の先端が中皿１３における直胴部１７と円弧部１８との境界よりも下方に前進する。これについては後で詳述する。
【００３２】
更に蓋体３０を容器本体１０側に強く押し付けると、蓋体３０は図４に示すように全閉状態となる。
この時、シール部材４０の鍔部４４が中皿１３のフランジ部１６によって上方へ弾性的に撓まされ、その結果、鍔部４４自身の弾性復元力によって膨出部４６がフランジ部１６に強く圧接する。
【００３３】
このように鍔部４４が上方へ撓むと、これと同時にシール部材４０の連結部４７が弾性的に回転変形するようになり、これに伴って環状壁４５が径方向外側に弾性的に傾転し、環状壁４５の外周面先端部が中皿１３の直胴部１７に強く圧接する。
【００３４】
ところで、鍔部４４の撓みによって環状壁４５の外周面先端部が直胴部１７に当接するより前に、環状壁４５の先端部は、中皿１３における直胴部１７と円弧部１８との境界よりも下方に前進する。
【００３５】
これは、図３の状態において直胴部１７と環状壁４５との間に径方向の隙間Ｘがあるため、この隙間寸法だけ環状壁４５が径方向外側へ変形する間に、環状壁４５の下縁が直胴部１７と円弧部１８との境界よりも下方に前進するからである。
【００３６】
そして、このように環状壁４５の下縁は直胴部１７の内面に接触する時には既に直胴部１７内に進入しているので、直胴部１７に対して摺動しながらの環状壁４５の下方移動が非常に軽くスムーズに行われることとなり、蓋体３０の締め際における操作性が非常によい。
【００３７】
又、このコンパクト容器１では、全閉状態において、シール部材４０の膨出部４６が中皿１３のフランジ部１６に圧接することにより化粧料収容部１９が気密に密閉されると共に、環状壁４５が直胴部１７に圧接することにより化粧料収容部１９が気密に密閉される。即ち、化粧料収容部１９は二重に気密シールされることとなるので、非常に気密性の高いものとなる。
【００３８】
特に、この実施例では、環状壁４５の下部外周縁が矩形に尖っているので、この尖端部が集中的により強く直胴部１７の内周面に圧接し、より高い気密性が得られる。
【００３９】
又、化粧料収容部１９に収容する化粧料が揮発性成分を含有する場合には、夏期などに高温になると揮発性成分が揮発して化粧料収容部１９内の圧力が上昇するが、そのような場合にも非常に高い気密性が確保され、特に効果が大きい。
【００４０】
【発明の効果】
以上説明したように、本発明によれば、シール部材の周縁部に第１気密部と第２気密部を設け、閉蓋時に外方に向かって斜め下方に延びる環状の鍔部からなる第１気密部を弾性的に撓ませて化粧料収容部の外周縁のシール座に気密に圧接するようにし、第２気密部を第１気密部の撓みに伴い弾性的に外方に広がるようにして化粧料収容部の内周面に気密に圧接するようにしたことにより、蓋体を全閉にした時に化粧料収容部を二重に気密密閉することができ、化粧用気密コンパクト容器の気密性が極めて高まるという優れた効果が奏される。
【００４１】
又、第２気密部の外周面を化粧料収容部の内周面とほぼ平行をなすように形成し、第１気密部を上方に撓ませることなくシール座に当接させた時に、第２気密部の少なくとも先端が化粧料収容部の内周面との間に径方向の隙間を有して既に化粧料収容部内に進入するようにしたことにより、蓋体の締め際が非常に軽くスムーズになり、極めて操作性がよいという優れた効果が奏される。
【図面の簡単な説明】
【図１】本発明の化粧用気密コンパクト容器の一実施例の要部拡大断面図である。
【図２】本発明の化粧用気密コンパクト容器の一実施例の外観正面図である。
【図３】本発明の化粧用気密コンパクト容器の一実施例の部分拡大断面図であり、蓋体を全閉にする前の状態を示す図である。
【図４】本発明の化粧用気密コンパクト容器の一実施例の部分拡大断面図であり、蓋体を全閉にした状態を示す図である。
【符号の説明】
１  化粧用気密コンパクト容器
１０  容器本体
１３  中皿
１６  フランジ部（シール座）
１７  直胴部（内周面）
１９  化粧料収容部
３０  蓋体
４０  シール部材
４４  鍔部（第１気密部）
４５  環状壁（第２気密部）
４６  膨出部
４７  連結部
【図１】
0003636755.tif 000002
【図２】
0003636755.tif 000003
【図３】
0003636755.tif 000004
【図４】
0003636755.tif 000005